(57)【要約】      （修正有）【課題】場所を選ばずに設置できて多くの人が同時に足湯でき、且つ多人数が同時に足湯できる多人数同時使用可能な移動足湯装置を提供する。【解決手段】浴を形成する足湯槽１、湯を加熱する湯沸かし器３並びに足湯槽１及び湯沸かし器３を循環する湯を浄化する浄化槽２が湯をポンプ１２で循環可能に接続されている足湯装置において、足湯装置がトラックの荷台に載る大きさに形成され、足湯槽１が、上部が開放された直方体の輪郭をした鋼製フレームの内側に内張りされた木板５により形成され、足湯槽１の上縁の周囲に着脱自在の多人数が同時に腰掛け可能な腰掛け板１３を設けて多人数同時使用可能な移動足湯装置を構成する。【選択図】図１
0003153202.tif 000002
【実用新案登録請求の範囲】
【請求項１】
浴を形成する足湯槽、湯を加熱する湯沸かし器並びに足湯槽及び湯沸かし器を循環する湯を浄化する浄化槽が湯をポンプで循環可能に接続されている足湯装置において、
足湯装置がトラックの荷台に載る大きさに形成され、
足湯槽が、上部が開放された直方体の輪郭をした鋼製フレームの内側に内張りされた木板により形成され、
足湯槽の上縁の周囲に着脱自在の多人数が同時に腰掛け可能な腰掛け板が設けられていることを特徴とする多人数同時使用可能な移動足湯装置。
【請求項２】
浄化槽に浄化剤として竹炭が充填されていることを特徴とする請求項１記載の多人数同時使用可能な移動足湯装置。
【考案の詳細な説明】
【技術分野】
【０００１】
本考案は、トラックで運搬して、店、イベント会場などに設置できる多人数同時使用可能な移動足湯装置に関する。
【背景技術】
【０００２】
足湯は、少し熱めの湯にふくらはぎから下をつけて足を温めることによって血の循環がよくなり、入浴と同じ効果が得られるといわれている。足湯は、脱衣することなく服を着たままで簡単に利用することができるので、各地の温泉地では、足湯施設を設置するところが増えているが、温泉地以外の場所、例えば家庭でも簡単に足湯ができるようにするため、持ち運び可能な足湯器が多く提案されている（特許文献１〜３参照）。
【０００３】
前記特許文献１には、水又は湯を加熱する加熱部と、少なくとも人間の足首が入る程度の深さ及び大きさを有して上面が開放されている容器部とからなり、加熱部は容器部に着脱自在に取り付けられ、容器部に注がれた水又は湯を加熱して所望の温度にし、ヒーター等の水を加熱する部分と水又は湯を蓄える容器部分とを分離することができて、容易に持ち運ぶことができる足湯器が記載されている。
【０００４】
また、特許文献２には、両足を収納可能な大きさの木箱の内側全面に金属板を被覆するとともに、金属板と木箱の底面との間に電熱プレートを敷設し、金属板の側面部分を隠すように添設した側面仕切り板を木箱内に着脱可能に装着し、中央に石止め孔を設けるとともに石止め孔に下面を伝熱金属製底板で覆った石板を嵌合した足載せ底板を、木箱底面の金属板上に載置して成り、電源に接続した電熱プレートで木箱内の温水を加熱して適温とした温水に足を浸けられるようにする足湯器が記載されている。
【０００５】
また、特許文献３には、容器本体の内部に空室を有する足載台を設け、該容器本体開口部に持ち運び用の取手部及び蓋部を取付け、椅子等に座って足首の運動を行うようにした足湯器が記載されている。
【先行技術文献】
【特許文献】
【０００６】
【特許文献１】特開２００１−１２９０５１号公報
【特許文献２】実用新案登録第３１３４７１１号公報
【特許文献３】実用新案登録第３０６７１４２号公報
【考案の概要】
【考案が解決しようとする課題】
【０００７】
温泉場の足湯施設では、多くの人が並んで、あるいは向かい合って腰掛け、同時に足湯できるように設置されており、おしゃべりや雰囲気を楽しみながら足湯できるようになっている。しかしながら、前記特許文献に記載された従来の足浴器は、家庭等で一人だけで足湯するものであり、温泉場の足湯施設のように多人数で互におしゃべりや雰囲気を楽しみながら足湯することはできなかった。
【０００８】
そこで、本考案は、場所を選ばずに設置でき、且つ多人数が同時に足湯できる多人数同時使用可能な移動足湯装置を提供するものである。
【課題を解決するための手段】
【０００９】
本考案は、浴を形成する足湯槽、湯を加熱する湯沸かし器並びに足湯槽及び湯沸かし器を循環する湯を浄化する浄化槽が湯をポンプで循環可能に接続されている足湯装置において、足湯装置がトラックの荷台に載る大きさに形成され、足湯槽が、上部が開放された直方体の輪郭をした鋼製フレームの内側に内張りされた木板により形成され、足湯槽の上縁の周囲に着脱自在の多人数が同時に腰掛け可能な腰掛け板が設けられていることを特徴とする多人数同時使用可能な移動足湯装置である。
【考案の効果】
【００１０】
本考案の足湯装置は、トラックの荷台に載せて運搬可能に形成されているので、温泉場以外の場所、例えば、１日、数日等の期間が限定されたイベント会場、老人ホーム、学校などでも設置することが可能であり、多人数が同時に使用して足湯を楽しむことができる。利用が終わると、トラックに載せて他の場所に運搬させることができる。
【００１１】
本考案の足湯装置は、湯沸器、浄化装置を備えているので衛生的であり、また、温泉地以外の場所でも、温泉地から運搬した温泉水を供給すれば、各地の温泉地の足湯を楽しむことができ、また、暑い時期には、湯の代わりに冷水を循環させて足を冷やして涼を取るのに利用することもできる。
【図面の簡単な説明】
【００１２】
【図１】本考案の足湯装置の縦断面図である。
【図２】本考案の足湯装置の分解斜視図である。
【考案を実施するための形態】
【００１３】
本考案の足湯装置の実施例について図面を参照しながら説明する。
【実施例１】
【００１４】
図１、図２において、足湯装置は、浴を形成する足湯槽１、足湯槽１及び湯沸かし器３を循環する湯を浄化する浄化槽２が湯を循環可能に接続されている。足湯装置は、トラックで移動運搬できるようにするため、トラックの荷台に載せることができる大きさに形成される。
【００１５】
足湯槽１及び浄化槽２は、上部が開放された直方体の輪郭をした鋼製フレーム４の内側に木板５が内張りされ、湯を入れて足湯浴が形成される。直方体の鋼製フレーム４に木板５を内張することにより、厚い木板を用いることなく運搬や湯の貯留に耐える強度が得られる。木板５には、木製の風呂に使われている木質材が使用され、ひのき板、杉板等を使用する。足湯槽１を木板５で形成することにより、落ち着いたしっとりした感じのする足湯装置となる。
【００１６】
浄化槽２内には、浄化剤６が充填されている。浄化剤６には、活性炭、竹炭、オゾン等の公知の浄化剤を使用することができる。なお、浄化槽２は、本実施例では足湯槽１と仕切板７で仕切られているが、足湯槽１の外側に配置してもよい。浄化槽２の足湯槽側には、その上下に足湯槽１に通じる流入口８及び流出口９が形成され、浄化槽２の湯沸かし器側には、その上下に湯沸かし器３に通じる流入配管１０及び流出配管１１が接続されている。流出配管１１には湯を送るためのポンプが設けられている。
【００１７】
足湯槽１の湯は、浄化槽２の流入口８から浄化槽２に流入し、浄化槽２の流出配管１１から流出して湯沸かし器３で加熱される。湯沸かし器３で加熱された湯は、湯沸かし器３から流出し、流入配管１０を通して浄化槽２へ流入し、浄化槽２の流出口９から足湯槽１へ流出する。こうして湯は足湯槽１、浄化槽２及び湯沸かし器３を循環して、加熱、浄化される。
【００１８】
足湯槽１の上縁の周囲には、多人数が同時に腰掛け可能な腰掛け板１３が取り付けられる。腰掛け板１３は、運搬時には取り外せるように着脱自在にする。
湯沸かし器３は足湯槽１と同一の基板に設置する。湯沸かし器３は湯の温度を調節して適温に加熱する。
【００１９】
次ぎに、本考案の足湯装置の設置方法について説明する。
【００２０】
トラックの荷台へ鋼製フレーム４の内側に木板１を内張した足湯装置をクレーンで載せて設置場所へ運搬する。設置場所に到着すると、クレーンで足湯装置を降ろし、腰掛け板を取り付ける。設置後、足湯槽１に足湯できる量の水を入れ、ポンプ１２で湯沸かし器３に送り込んで適温に加熱する。
【符号の説明】
【００２１】
１：足湯槽        ２：浄化槽
３：湯沸かし器    ４：鋼製フレーム
５：木板          ６：浄化剤
７：仕切板        ８：流入口
９：流出口      １０：流入配管
１１：流出配管    １２：ポンプ
１３：腰掛け板
【図１】
0003153202.tif 000003
【図２】
0003153202.tif 000004